(57)【特許請求の範囲】
【請求項１】
ディジタル化した映像信号を少なくとも１段の中継段を介して受信段に伝送するディジタル伝送システムにおいて、
前記中継段に、受信した映像信号から、反射波混入状態、受信電界状態、復号エラー状態の少なくとも何れか１つの伝送状態情報を抽出し、前記伝送状態情報から当該伝送状態の異常検知信号を抽出し、これらを映像信号化して前記映像信号の所定の期間に重畳して、当該重畳映像信号を出力する手段を設け、
前記受信段に、受信した映像信号から、前記映像信号の所定の期間に重畳の前記伝送状態情報と前記異常検知信号を抽出し、これらを映像信号化して映像表示する手段を設けたことを特徴とするディジタル伝送システム。
【請求項２】
請求項１記載のディジタル伝送システムにおいて、
前記中継段に、ＩＤ信号を前記映像信号の所定の期間に重畳する手段を設け、
前記受信段に、受信した映像信号から、受信した映像信号の所定の期間に重畳の前記ＩＤ信号を抽出し、当該抽出した前記ＩＤ信号から中継伝送が正常でないことを検知した場合、伝送状態異常を示す伝送状態情報信号を出力する手段を設けたことを特徴とするディジタル伝送システム。
【請求項３】
ディジタル化した映像信号を受信し、受信した映像信号から、反射波混入状態、受信電界状態、復号エラー状態の少なくとも何れか１つの伝送状態情報を抽出し、前記伝送状態情報から当該伝送状態の異常検知信号を抽出し、これらを映像信号化して前記映像信号の所定の期間に重畳して、当該重畳映像信号を出力する手段を設けたことを特徴とする中継装置。
【請求項４】
請求項３記載の中継装置において、ＩＤ信号を前記映像信号の所定の期間に重畳する手段を設けたことを特徴とする中継装置。
【請求項５】
反射波混入状態、受信電界状態、復号エラー状態の少なくとも何れか１つの伝送状態情報と当該伝送状態の異常検知信号とが所定の期間に重畳された映像信号を入力し、前記映像信号の所定の期間に重畳の前記伝送状態情報と前記異常検知信号を抽出し、これらを映像信号化して映像表示する手段を設けたことを特徴とする受信装置。
【請求項６】
請求項５記載の受信装置において、ＩＤ信号が前記所定の期間に重畳された映像信号を受信し、受信した映像信号の所定の期間に重畳の前記ＩＤ信号を抽出し、当該抽出した前記ＩＤ信号から中継伝送が正常でないことを検知した場合、伝送状態異常を示す伝送状態情報信号を出力する手段を設けたことを特徴とする受信装置。
【発明の詳細な説明】
【０００１】
【産業上の利用分野】
本発明は、ＯＦＤＭ（Orthogonal Frequency Division Multiplex）変調方式等のディジタル変調方式を用いたディジタル伝送システムおよびそれに用いる中継装置ならびに受信装置に関する。
【０００２】
【従来の技術】
駅伝やマラソン（以後ロードレース）の中継において、ランナーの走る姿を全コース上で生放送する形態がとられている。
【０００３】
図２８に、代表的な中継形態を示す。ロードレース中のランナーは、移動中継車のカメラにより撮影され、得られた映像信号は例えば８００ＭＨｚ帯で伝送する送信機１００により、小高い山頂にある受信点に伝送される。この受信点は、ロードレースのコースを見渡せる場所が選択される。小高い山頂の受信機２００で受信したランナーの生映像は、マイクロ波帯で伝送する送信機３００により、放送局であるスタジオに伝送される。スタジオでは映像受信機４００で、小高い山頂からのランナーの映っている本線映像を受信する。その後、この本線映像は全国の茶の間に、放送電波により届けられる。
【０００４】
従来から用いられているアナログＦＭ方式による変復調は、電界等が低下すると、受信復調した映像に雑音が増えたり、最悪の場合、砂嵐状態になる。このため、ロードレース中継においては、乱れのない映像を放送するため、ロードレースのコースに沿って多数の受信点を見通しのきく場所に受信機２００を設置し、伝送回線の使用電波の選択や切替等に多大な努力を払ってきた。
【０００５】
近年、ディジタル技術の発達により、コースを見通すことができない状態でも安定伝送するディジタルＦＰＵ（Filed Pickup Unit）が利用されるようになり、受信点の数を１０〜２０ヶ所から３ヶ所以下程度にまで削減できるようになった。
【０００６】
図２９に、従来の全体構成を示し、以下に、説明する。移動中継車等の送信側は、ＭＰＥＧ−ＥＮＣ部１００Ｍと送信側処理部１００からなる。例えば、小高い丘の上等に設けられる第１中継段である受信側には、受信側処理部２００とＭＰＥＧ−ＤＥＣ部２００Ｍ、映像送信部３００Ａが設けられる。スタジオ側は映像受信部４００Ａが設けられる。
【０００７】
送信側において、入力された映像信号は、ＭＰＥＧ−ＥＮＣ部１００Ｍにより、約８Ｍｂｐｓの圧縮映像信号Ｄｉｎに変換される。送信側処理部１００は、Ｄｉｎを数百本のマルチキャリアにＯＦＤＭ変調して送信する。送信された電波は、受信側のアンテナに届き、受信側処理部２００にて、数百本のマルチキャリアをＯＦＤＭ復調し、約８Ｍｂｐｓの圧縮映像信号ＤｏｕｔとしてＭＰＥＧ−ＤＥＣ部２００Ｍに渡す。したがって、ＭＰＥＧ−ＤＥＣ部２００Ｍで、伸張された映像信号Ｖｏとなり、スタジオ側に伝送するため、映像送信部３００Ａに渡される。映像送信部３００Ａは、入力された映像信号をＦＭ変調し１０ＧＨｚ帯の電波として出力する。ここで、受信側処理部２００から得られる、電界強度を表す信号ＳａやＢＥＲ（Bit Error Rate）状態を示す信号Ｓｂが、専用のレベルメータ２１０、ＬＥＤ２１１等で表示される。スタジオ側は、上記電波を映像受信部４００Ａにより受信しＦＭ復調した後、Ｖｏ’として、出力する。
【０００８】
なお、昨今はＭＰＥＧ−ＥＮＣ部１００ＭとＯＦＤＭ変調の送信側処理部１００が一体化されたタイプが多い。同様にＯＦＤＭ復調の受信側処理部２００とＭＰＥＧ−ＤＥＣ部２００Ｍも一体化されたタイプが多い。
【０００９】
ここで、図３０に、図２９における送信側処理部１００と受信側処理部２００からなるＯＦＤＭ伝送装置の基本的な構成を示す。伝送路符号化部１Ｔ、符号化部２Ｔ、ＩＦＦＴ(Inverse Fast Fourier Transform：逆フーリエ変換)部３Ａ、ガード付加部３Ｂ、同期シンボル挿入部５、クロック発振器６、直交変調処理部８とからなる送信側処理部１００と図示しない送信アンテナを有する送信側Ｔｘと、図示しない受信アンテナとＡＧＣ部９Ａ、直交復調処理部９Ｂ、同期検出＆相関部４Ａ、ＦＳＴ補正部４Ｂ、ＦＦＴ(Fast Fourier Transform：高速フーリエ変換)部３Ｃ、復号化部２Ｒ、伝送路復号化部１Ｒ、電圧制御クロック発振器１０からなる受信側処理部２００を有する受信側Ｒｘとにより構成され、これら送信側Ｔｘと受信側Ｒｘは、例えば、電波を用いた無線の伝送路Ｌにより結ばれている。
【００１０】
以下、図３０を用いてＯＦＤＭ信号の変復調処理について説明する。送信側処理部１００の伝送路符号化部１Ｔに連続的に入力されるデータＤinは、例えば９００シンボルからなるフレーム毎に処理され、このフレーム期間内で同期シンボルの６シンボル期間を除く８９４個の情報シンボル毎に、１から４００番と、６２５から１０２４番までの計８００サンプル期間に、間欠状態のレート変換済データＤiiとして出力される。また、伝送路符号化部１Ｔは、フレーム周期である９００シンボル毎に、送信側のフレーム制御パルスＦＳＴを発生し、同期シンボル期間の開始を表わすフレームパルス信号として、他のブロックに供給する。
【００１１】
符号化部２Ｔは、入力されたデータＤiiを符号化し、Ｉ軸とＱ軸の２軸にマッピングしたデータＲｆとＩｆを出力する。ＩＦＦＴ部３Ａは、これらデータＲｆとＩｆを周波数成分と見なし、１０２４サンプルからなる時間軸信号Ｒ(実数成分)とＩ(虚数成分)に変換する。ガード付加部３Ｂは、１０２４サンプルからなる時間軸信号ＲとＩの開始期間における波形の中で、例えば最初の４８サンプルの波形を１０２４サンプル後に付加し、合計１０７２サンプルの時間軸波形からなる情報シンボルＲｇとＩｇを出力する。この４８サンプルは反射波混入時の緩衝帯となる。
【００１２】
同期シンボル挿入部５は、これら情報シンボルＲｇ，Ｉｇに対して、それらの８９４サンプル毎に、予めメモリ等に記憶された、６シンボルからなる同期波形を挿入し、フレーム構成のデータＲsgとＩsgを作成する。
【００１３】
これらのデータＲsg，Ｉsgは直交変調処理部８に供給され、ここでＤ／Ａ変換器８１と直交変調器８２、ローカル発振器８３により、周波数ＦｃのキャリアによるＯＦＤＭ変調波信号ＲＦとして生成され、高周波増幅され、ここでは図示しないが、送信アンテナを介して伝送路Ｌに送出されることになる。  伝送帯域は、ＵＨＦ帯やマイクロ波帯が用いられる。
【００１４】
なお、送信側Ｔｘにおける処理に必要なクロックＣＫ(周波数１６ＭＨｚ)は、クロック発振器６から各ブロックに送信側クロックＣＫｄとして供給される。
【００１５】
上記の様にして送信されたＯＦＤＭ変調波信号ＲＦは、図示しない受信アンテナを介し、受信側Ｒｘの高周波部であるＡＧＣ部９Ａを経由して直交復調処理部９Ｂに入力され、直交復調器９１により電圧制御発振器９３から供給される周波数Ｆc'の局発信号と乗算されて、ベースバンド信号に直交復調された後、Ａ／Ｄ変換器９２によってディジタル化され、データＲ'sgとＩ'sgに変換される。
【００１６】
これらのデータＲ'sg，Ｉ'sgは、ＦＦＴ(Fast Fourier Transform：高速フーリエ変換)部３Ｃに供給され、ここでパルスＦＳＴrcに基づきＦＦＴとして利用する１０２４サンプルのデータ期間を決定するゲート信号を作成して、緩衝帯である４８サンプルを除外することにより、時間軸波形信号Ｒ'sg，Ｉ'sgは、周波数成分信号Ｒ'fとＩ'fに変換される。そして、これら周波数成分信号Ｒ'f，Ｉ'fは、復号化部２Ｒにて識別、復号化されて、データＤ'oになり、伝送路復号化部１Ｒにて連続した信号Ｄoutとして出力される。
【００１７】
一方、上記データＲ'sgとＩ'sgは、同期検出＆相関部４Ａにも入力され、ここで同期シンボル群が検出され、これによりフレームパルスとなるパルスＦＳＴｒが取り出される。このパルスＦＳＴｒは、受信側Ｒｘのフレーム制御パルスとなり、受信側Ｒｘの各ブロックに供給される。
【００１８】
また、この同期検出＆相関部４Ａは、電圧制御クロック発振器１０から発生されるクロックＣＫrcとデータＲ'sgとＩ'sgの同期成分を比較し、比較結果に応じた相関出力ＳｃをＦＳＴ補正部４Ｂに出力する。そして、ＦＳＴ補正部４Ｂで制御電圧ＶＣを生成し、これにより電圧制御クロック発振器１０を制御し、正しい周期のクロックＣＫrcが発生され、受信側の各ブロックに供給される。
【００１９】
次に、図３０に示した各構成の詳細について説明する。伝送路符号化部１Ｔは、伝送中に混入の恐れがある各種のエラーによるデータ誤りを防止するため、インターリーブ処理、エネルギー拡散処理、エラー訂正用符号処理等を行う。符号化部２Ｔは、信号Ｄiiを、マッピングＲＯＭを用いてＩ，Ｑ軸の所定点の情報に変換し、また、不要キャリアに相当する期間の信号は０に置換し、データＲｆとＩｆを作成する。
【００２０】
ＩＦＦＴ変換部３Ａは、入力信号ＲｆとＩｆをクロックＣＫｄとパルスＦＳＴとでタイミングを決められた、シンボル周期の時間軸波形ＲとＩに変換する。具体的には、プレッシー社のＰＤＳＰ１６５１０等を用いれば実現できる。ガード付加部３Ｂは、ここに入力された信号ＲとＩを１０２４サンプル遅延させる遅延器と、１０２５サンプル目から１０７２サンプル目のみ遅延出力を選択する切り替え器からなり、これらはクロックＣＫとパルスＦＳＴによってタイミングを決められる。ここで得られる全１０７２サンプルからなるシンボルは、１０２５サンプル目から１０７２サンプル目に、１サンプル目から４８サンプル間の時間軸波形が付加され、情報シンボルＲｇ，Ｉｇとなる。
【００２１】
直交変調処理部８は、Ｄ／Ａ変換器８１により、実数部の信号Ｒsgと虚数部の信号Ｉsgに対してＤ／Ａ変換を行い、直交変調器８２では、実数部信号に対しては、発振器８３からの周波数Ｆc'のキャリア信号のままで変調し、虚数部信号に対しては、発振器８３の周波数Ｆc'のキャリア信号を９０°移相した信号で変調することによって直交変調を施し、これらの信号を合成してＯＦＤＭ変調波信号を得る。
【００２２】
次に、受信側Ｒｘの構成動作について説明する。受信側Ｒｘでは、伝送されたフレーム構成の信号は、ＡＧＣ部９Ａに入力され、ここで、受け取った信号レベルを適正レベルに修正する制御信号Ｓａを発生しレベルを変更する。ＡＧＣ部９Ａにて適正レベルとなったＯＦＤＭフレーム構成信号は、直交復調処理部９Ｂに入力される。
【００２３】
ここでの処理は、送信側Ｔｘとは逆に、直交復調器９１によって、電圧制御発振器９３から出力される周波数Ｆc'のキャリア信号により復調した出力を実数部信号として取り出し、キャリア信号を９０°移相して復調した出力を虚数部信号として取り出すものである。そして、これら実数部と虚数部の各復調アナログ信号を、Ａ／Ｄ変換器９２によりディジタル信号に変換する。
【００２４】
同期検出＆相関部４Ａは、受信した信号Ｒ'sgとＩ'sgからフレームの区切りを探索しフレームの基準ＦＳＴrcを出力するとともに相関出力Ｓｃを出力する。そして、ＦＦＴ部３Ｃは、このパルスＦＳＴrcに基づいてシンボルを区切り、前述のようにフーリエ変換を行うことでＯＦＤＭ復調を行い、データＲ'fとＩ'fを出力する。
【００２５】
復号化部２Ｒは、例えばＲＯＭテーブル手法にて、データＲ'fとＩ'fを識別し、データＤ'oを算出する。伝送路復号化部１Ｒは、逆インターリーブ処理、エネルギー逆拡散処理、エラー訂正処理等を行い、連続したディジタルデータDout、エラー訂正処理状況であるＢＥＲ(ビット・エラー・レート)状態を示す信号Ｓｂおよび受信側クロック信号ＣＫRXを出力する。
【００２６】
次に、図３１に、図３０の同期検出＆相関部４Ａの構成を示し、以下に、説明する。直交復調したディジタル信号である時間軸信号Ｒ'sg，Ｉ'sgは、ＮＵＬＬ終了検出器４−１とＳＷＥＥＰ演算器４−２に入力される。
【００２７】
ＮＵＬＬ終了検出器４−１は、フレーム構成のシンボル群から同期シンボル中で無信号状態にあるＮＵＬＬを検出し、同期シンボルの大まかな位置(タイミング)を検出し、ＮＵＬＬ終了時点からタイマ回路によりＳＷＥＥＰシンボル開始時点を推定して、ＳＷＥＥＰ開始指示パルスＳＴを出力する。
【００２８】
ＳＷＥＥＰ演算器４−２は、ＳＷＥＥＰ開始指示パルスＳＴを参照しＮＵＬＬシンボルの２シンボル後に存在する波形を、ＳＷＥＥＰシンボル波形と推定して取り込み、各シンボルの正確な切り替わりタイミングを捜索する。
【００２９】
具体的には、予めＳＷＥＥＰシンボルのパターンが格納してあるメモリ４−３を用い、入力されたＯＦＤＭ信号とこのメモリ４−３から読み出したパターンを例えば相関演算し、相関出力Ｓｃを、図３０のＦＳＴ補正部４Ｂに出力する。
【００３０】
ＦＳＴ補正部４ＢはフレームパルスＦＳＴｒを基準に、各シンボルの正確な切り替わりタイミングとの位相ずれを算出し、受信側の基準クロックＣＫｒの補正信号ＶＣを出力し、受信側のフレーム位相を伝送データに一致させる。
【００３１】
フレームカウンタ４−４は、ＳＷＥＥＰ開始指示パルスＳＴに基づいて、クロックＣＫのカウントを開始し、このカウント数がフレーム周期に相当する値(例えば、１０７２×９００)に到達する毎に、パルスＦＳＴｒを出力するとともに、カウント値を０に戻してから再びクロックＣＫのカウントを開始する。
【００３２】
従って、以後は、一定カウント毎に、即ちフレーム開始点毎にパルスＦＳＴｒが出力されることになり、受信側ではこのパルスＦＳＴｒを高速フーリエ変換、復号化、逆レート変換の開始タイミングとする。
【００３３】
上記ＳＷＥＥＰ開始指示パルスＳＴによって、正しいＳＷＥＥＰシンボル開始位置を特定することができ、ＳＷＥＥＰ演算器４−２にＳＷＥＥＰシンボル波形の開始部分から取り込めるため、ＳＷＥＥＰ演算における位相ずれを正確に算出でき、各シンボルの正確な切り替わりタイミングを捜索することが可能となる。
【００３４】
すなわち、ＳＷＥＥＰ演算器４−２から出力される相関出力Ｓｃ信号を基に、ＦＳＴ補正部４Ｂでずれ検出を行い、受信側サンプルレートとなるクロックＣＫｒｃの速度を調整し、伝送されてきた同期シンボル位相とのロック処理を行うことによって、ＦＦＴゲートの時間的位置の誤差は消える。
【００３５】
図３２に、図３１の相関出力信号Ｓｃを示す。図３２から明らかなように、この場合の相関出力信号Ｓｃは、主波による山と反射波による山が存在する形となる。
【００３６】
以上、説明のデジタル伝送の特徴は、エラー訂正処理を併用しているため、ある程度までは、エラーを正しい値に訂正でき、画質の劣化や、異常な映像は全く現れない。しかし、さらに状況が悪化すると、エラー訂正が不可能となり、突然、不自然なブロック状の模様の発生や、動画映像を静止映像に切替えるフリーズ処理等への切り替わり症状が生じる。
【００３７】
また、ＯＦＤＭ方式デジタル装置は、電界レベル以外に反射波の混入状態がエラー発生量に大きく影響し、ガードインターバル以内の遅延波であるか否か、および反射波と主波の比率が大きなファクターとなる。
【００３８】
通常、前述のロードレース中継の責任者はスタジオ側にいて、中継全体の指図を行う。移動伝送の良し悪し等の最終決定も該責任者のタスクとなる。しかし、移動伝送の状態は、例えば小高い丘である受信点にわざわざいかなければ知ることが出来ない。しかも小高い丘である受信点にいっても、従来のディジタル伝送システムにおいては、上記のように電界強度やＢＥＲ状態を検出して、それぞれ専用のレベルメータ、ＬＥＤ等で表示していたので、受信状況の完全把握は困難であった。また、復号映像の画質からエラー混入量を推測できず、いつ異常映像が生じるかを恐れながら運用していた。
【００３９】
【発明が解決しようとする課題】
そのため、本発明の前提として、受信点において伝送状態を映像化した信号として伝送状態が可視的に把握できるようにするとともに、映像化した伝送状態を表す信号をスタジオ側に送信して、スタジオで伝送状態を可視的に把握できるようにすることと、映像化した伝送状態を表す信号をスタジオ側に送信するためのマイクロ波回線をもう一系統必要とすることがないように、映像化した伝送状態を表す信号を映像信号に重畳して送信することを考えた。
【００４０】
図３３に、本発明の前提の全体構成を示し、図３４に、各部の出力映像信号とその映像表示画面の模式図を示し、以下に、説明する。
【００４１】
移動中継車等の送信側は、ＭＰＥＧ−ＥＮＣ部１００Ｍと送信側処理部１００からなる。小高い丘の上等に設けられる第１中継段である受信側には、受信側処理部２００とＭＰＥＧ−ＤＥＣ部２００Ｍ、伝送状態映像重畳部７Ｔが設けられる。
【００４２】
受信側処理部２００から得られる、受信電界強度を表すＡＧＣ制御信号Ｓａと反射波の混入(ゴースト)状態を表す相関演算信号Ｓｃ及びＢＥＲ状態を示す信号Ｓｂは、伝送状態映像重畳部７Ｔに接続される。また、受信側処理部２００の動作タイミング基準であるＦＳＴrcパルスも伝送状態映像重畳部７Ｔに接続される。  ＭＰＥＧ−ＤＥＣ部２００Ｍの映像出力Ｖ(図３４の(ａ))は、映像信号として伝送状態映像重畳部７Ｔに入力される。ここで、映像出力Ｖは、ＭＰＥＧ−ＤＥＣ部２００Ｍの出力に限定されるものではなく、他の映像機器からの外部入力映像信号でも良い。
【００４３】
受信側で受けた映像信号は、直接あるいは所定数の中継段を介してスタジオ等のある最終受信段に送られる。なお、この間は、例えば、マイクロ波帯のアナログＦＰＵ等で、伝送される。伝送先のスタジオ側には、重畳情報抽出＆伝送状態映像変換部７Ｒが、設けられている。
【００４４】
伝送状態映像重畳部７Ｔは、受信側処理部２００からの信号Ｓa,Ｓb,ＦＳＴrcを基準に反射波の混入状況(ゴースト状況)を表す相関演算信号Ｓｃを取り込み、これら伝送状態を表す情報をＭＰＥＧ−ＤＥＣ部２００Ｍからの映像信号Ｖ（図３４の(ａ)）の映像有効期間外である垂直ブランキング(ＶＢＬ)期間に重畳する。そして、伝送状態情報の重畳された映像信号Ｖｓ(図３４の(ｂ))を、所定の映像送信部３００Ａを用いて、スタジオ側に伝送する。
【００４５】
スタジオ側では、所定の映像受信部４００Ａを用いて受信した映像信号Ｖs'から、重畳情報抽出＆映像変換部７Ｒで、ＶＢＬ期間に重畳された伝送状態を表す情報Ｓa'，Ｓb'，Ｓc'を抽出する。そして、これら抽出された伝送状態を表す情報Ｓa'，Ｓb'，Ｓc'を、同期信号C.SYNCを基準に取り込み、これら情報を同期信号C.SYNCを基準に、後述の映像有効期間内に表示される伝送状態映像化信号Ｖrpfとして出力する。この伝送状態映像化信号Ｖrpfは、図示しないモニタ等に供給され、図３４の(ｃ)に示すように、映像表示画面に表示される。
【００４６】
図３５に、図３３の伝送状態映像重畳部７Ｔの構成を示し、以下に、説明する。
【００４７】
制御信号Ｓａは、電界強度−映像変換部７−１に入力され、該電界強度−映像変換部７−１の出力は、映像統合部７−４に入力される。信号Ｓｂは、ＢＥＲ状態−映像変換部７−２に入力され、ＢＥＲ状態−映像変換部７−２の出力は、映像統合部７−４に入力される。
【００４８】
信号ＳｃおよびＦＳＴrcは、ゴースト状態−映像変換部７−３に入力される。ゴースト状態−映像変換部７−３の出力は、映像統合部７−４に入力される。
【００４９】
映像統合部７−４からの同期信号C.SYNCは、電界強度−映像変換部７−１、ＢＥＲ状態−映像変換部７−２、ゴースト状態−映像変換部７−３の同期入力端子に接続される。映像統合部７−４からは、伝送状態重畳映像信号Ｖｓが出力される。
【００５０】
電界強度−映像変換部７−１、ＢＥＲ状態−映像変換部７−２、ゴースト状態−映像変換部７−３は、同期信号C.SYNC入力に従って、各々の状態を示す信号をそれぞれ映像信号に変換する。映像統合部７−４では、映像化されたこれらの信号を統合し、映像用の同期信号を付加した伝送状態重畳映像信号Ｖｓを生成する。
【００５１】
図３６に、図３５の映像統合部７−４の構成を示し、以下に、説明する。映像信号は、外部映像同期型同期信号発生器７-4-5と加算器７-4-6に入力される。外部映像同期型同期信号発生器７-4-5からの同期信号C.SYNCは、外部へ出力される。加算器７-4-6は、ゲート７-4-１,７-4-2,７-4-3を経由した各映像化信号と、ゴースト状態映像化信号に対する時間軸の目盛及びガード期間の範囲を示す信号と、映像信号を加算し伝送状態重畳映像信号Ｖｓを作成する。なお、重畳位置パルス発生器７-4-4は、各映像化信号が、映像信号に重畳される位置を規定する。
【００５２】
ここで、加算器７-4-6における加算比率の例を以下に示す。入力される信号を、ディジタルレベルの＋５Ｖの電界強度映像化信号、ＢＥＲ状態映像化信号、ゴースト状態映像化信号は、各々０．２の比率で、時間軸目盛信号とガード期間範囲信号は、０．０５の比率で、映像部分が０．７Ｖ程度のアナログ信号である映像信号は、比率１で加算する。
【００５３】
図３７に、伝送状態重畳映像信号Ｖｓの模式波形を示す。これは、ゴースト状態映像化信号Ｐsc、電界強度映像化信号Ｓa0〜Ｓa5、ＢＥＲ状態映像化信号Ｓb0〜Ｓb5が重畳されたＶＢＬ期間の１ラインを示している。ゴースト状態映像化信号はアナログレベルで重畳されるため、 ゴースト状態波形は、振幅の連続的な大小で表現される。電界強度レベルとＢＥＲ状態は、各々をバイナリー表現したディジタル値を、振幅の有無をディジタルの０or１と見立て重畳する。すなわち、ディジタル化した情報の値０，１を、振幅の有り無しで表現する。
【００５４】
次に、図３８（ａ）に、図３３の重畳情報抽出＆映像変換部７Ｒの構成を示し、以下に、説明する。
【００５５】
上記伝送状態を表す情報ｓa0'〜ｓa5',ｓb0'〜ｓb4',Ｐsc'がＶＢＬ期間に重畳された映像信号Ｖs'が入力する重畳情報抽出＆映像変換部７Ｒは、重畳電界強度抽出＆映像変換部７−１Ｖ、重畳ＢＥＲ状態抽出＆映像変換部７−２Ｖ、重畳ゴースト状態抽出＆映像変換部７−３Ｖ、映像統合部７−４Ｖにより構成される。
【００５６】
映像統合部７−４Ｖからの同期信号C.SYNCは、映像信号Ｖs'から取り出され、重畳電界強度抽出＆映像変換部７−１Ｖ、重畳ＢＥＲ状態抽出＆映像変換部７−２Ｖ、重畳ゴースト状態抽出＆映像変換部７−３Ｖに入力される。
【００５７】
重畳電界強度抽出＆映像変換部７−１Ｖの出力VOsa、重畳ＢＥＲ状態抽出＆映像変換部７−２Ｖの出力VOsb、重畳ゴースト状態抽出＆映像変換部７−３Ｖの出力VOscは、映像統合部７−４Ｖに入力される。
【００５８】
重畳電界強度抽出＆映像変換部７−１Ｖ、重畳ＢＥＲ状態抽出＆映像変換部７−２Ｖ、重畳ゴースト状態抽出＆映像変換部７−３Ｖは、同期信号C.SYNCを基準として、入力される映像信号Ｖs'のＶＢＬ期間に重畳された伝送状態を表す各情報ｓa0'〜ｓa5',ｓb0'〜ｓb4',Ｐsc'の存在する期間をそれぞれ求め、これらの各情報を抽出する。  そして、後述のようにして、映像有効期間内の所定の位置に表示されるように、それぞれの映像化信号に変換される。そして、映像統合部７−４Ｖで、これらの各映像化信号を統合し、伝送状態映像化信号を生成する。
【００５９】
図３８（ｂ）は、この伝送状態映像化信号Ｖrpf(Vosa，Vosb，Vosc)を、図示しないモニタに供給し、その映像表示画面の映像有効期間に表示した場合の模式図である。このように、映像表示画面の映像有効期間に、各種伝送状態映像化信号Ｖrpf (電界強度−Vosa、ＢＥＲ状態−Vosb、ゴースト状態−Vosc)が表示されるので、ＯＦＤＭ伝送装置から遠く離れた地点であるスタジオ側にいるディレクタ等が、伝送状態を把握できる。
【００６０】
しかしながら、中継段の受信側の映像送信部３００Ａから受信段のスタジオ側の映像受信部４００Ａに、マイクロ波回線利用で伝送する際に、情報量の多い反射波の状態は、情報を一部欠落させたり、不要成分の混入等を伴いながら伝送される。またＡＤ／ＤＡ変換等が行われ反射波検出等の情報が多かれ少なかれ変化してしまう。スタジオ側へは、伝送に伴う処置のため、必ずしも受信側での反射波状態を忠実に届けられない。結果的に、スタジオ側では受信側と異なる反射波状態を観測することとなり、異常状態の余裕度判断を誤る懸念がある。
【００６１】
また、マイクロ波回線は晴天であれば信頼の高い回線である。しかし、使用周波数が１０ＧＨｚと高いチャネルで、かつ、豪雨等に遭遇すると回線品質が低下し内容を正確に伝送できないケースも生じる。この結果、転送され抽出した伝送状態信号も大幅に乱れる懸念がある。
【００６２】
本発明の目的は、スタジオ側の受信段において、中継段での伝送状態を的確に観測可能にしたディジタル伝送システムおよびそれに用いる中継装置ならびに受信装置を提供することにある。
【００６３】
本発明の他の目的は、中継段からスタジオ側の受信段への伝送時の品質劣化に対応可能なディジタル伝送システムおよびそれに用いる中継装置ならびに受信装置を提供することにある。
【００６４】
本発明は、ディジタル化した映像信号を少なくとも１段の中継段を介して受信段に伝送するディジタル伝送システムにおいて、前記中継段に、受信した映像信号から、反射波混入状態、受信電界状態、復号エラー状態の少なくとも何れか１つの伝送状態情報を抽出し、前記伝送状態情報から当該伝送状態の異常検知信号を抽出し、これらを映像信号化して前記映像信号の所定の期間に重畳して、当該重畳映像信号を出力する手段を設け、前記受信段に、受信した映像信号から、前記映像信号の所定の期間に重畳の前記伝送状態情報と前記異常検知信号を抽出し、これらを映像信号化して映像表示する手段を設けたことを特徴とするディジタル伝送システムである。
【００６５】
本発明は、前記中継段に、ＩＤ信号を前記映像信号の所定の期間に重畳する手段を設け、前記受信段に、受信した映像信号から、受信した映像信号の所定の期間に重畳の前記ＩＤ信号を抽出し、当該抽出した前記ＩＤ信号から中継伝送が正常でないことを検知した場合、伝送状態異常を示す伝送状態情報信号を出力する手段を設けたことを特徴とするディジタル伝送システムである。
【００６６】
本発明は、ディジタル化した映像信号を受信し、受信した映像信号から、反射波混入状態、受信電界状態、復号エラー状態の少なくとも何れか１つの伝送状態情報を抽出し、前記伝送状態情報から当該伝送状態の異常検知信号を抽出し、これらを映像信号化して前記映像信号の所定の期間に重畳して、当該重畳映像信号を出力する手段を設けたことを特徴とする中継装置である。
【００６７】
本発明は、ＩＤ信号を前記映像信号の所定の期間に重畳する手段を設けたことを特徴とする中継装置である。
【００６８】
本発明は、反射波混入状態、受信電界状態、復号エラー状態の少なくとも何れか１つの伝送状態情報と当該伝送状態の異常検知信号とが所定の期間に重畳された映像信号を入力し、前記映像信号の所定の期間に重畳の前記伝送状態情報と前記異常検知信号を抽出し、これらを映像信号化して映像表示する手段を設けたことを特徴とする受信装置である。
【００６９】
本発明は、ＩＤ信号が前記所定の期間に重畳された映像信号を受信し、受信した映像信号の所定の期間に重畳の前記ＩＤ信号を抽出し、当該抽出した前記ＩＤ信号から中継伝送が正常でないことを検知した場合、伝送状態異常を示す伝送状態情報信号を出力する手段を設けたことを特徴とする受信装置である。
【００７０】
【発明の実施の形態】
以下、図１に、本発明のディジタル伝送システムの実施の形態の構成図を示し、図２に、各部の出力映像信号と対応表示画面の模式図を示し、以下に、詳細に説明する。
【００７１】
移動中継車等の送信側は、ＭＰＥＧ−ＥＮＣ部１００Ｍと送信側処理部１００からなる。小高い丘の上等に設けられる第１中継段である受信側には、受信側処理部２００とＭＰＥＧ−ＤＥＣ部２００Ｍ、伝送状態映像重畳部７Ｔｔ、異常検出重畳部７Ｔｇが設けられる。
【００７２】
受信側処理部２００から得られる、受信電界強度を表すＡＧＣ制御信号Ｓａと反射波の混入(ゴースト)状態を表す相関演算信号Ｓｃ及びビットエラー情報であるＢＥＲ状態を示す信号Ｓｂは、伝送状態映像重畳部７Ｔｔおよび異常検出重畳部７Ｔｇに接続される。また、受信側処理部２００の動作タイミング基準であるＦＳＴrcパルスも伝送状態映像重畳部７Ｔｔおよび異常検出重畳部７Ｔｇに接続される。ＭＰＥＧ−ＤＥＣ部２００Ｍのからのフリーズフラグも伝送状態映像重畳部７Ｔｔおよび異常検出重畳部７Ｔｇに接続される。また、ＭＰＥＧ−ＤＥＣ部２００Ｍの映像出力Ｖｏ(図２)は、映像信号として伝送状態映像重畳部７Ｔｔおよび異常検出重畳部７Ｔｇに入力される。
【００７３】
映像重畳部７Ｔｔおよび異常検出重畳部７Ｔｇでは、これらの伝送状態情報を、ＭＰＥＧ−ＤＥＣ部２００Ｍの映像出力Ｖｏの実際の映像信号が含まれていない垂直ブランキング期間（ＶＢＬ）に、重畳した映像信号である伝送状態重畳映像信号Ｖｓを作成する。重畳するタイミングは、映像信号Ｖｏから検出した同期信号を取り出し、決定する。
【００７４】
このように作成された伝送状態重畳映像信号Ｖｓは、映像送信部３００Ａにより直接あるいは所定数の中継段を介してスタジオ側のある最終受信段に送られる。なおこの間は例えばマイクロ波帯のアナログＦＰＵ等で伝送される。
【００７５】
伝送先のスタジオ側には、映像受信部４００Ａの他、重畳情報抽出＆伝送状態映像変換部７Ｒｔおよび異常検出重畳部７Ｒｇが設けられる。
【００７６】
伝送状態映像重畳部７Ｔｔは、受信側処理部２００からの信号Ｓa,Ｓb,ＦＳＴrcを基準に反射波の混入状況(ゴースト状況)を表す相関演算信号ＳｃおよびＭＰＥＧ−ＤＥＣ部２００Ｍからのフリーズフラグを取り込み、これら伝送状態を表す情報および伝送状態の異常検知を示すアラーム情報および確認用ＩＤ情報を、ＭＰＥＧ−ＤＥＣ部２００Ｍからの映像信号Ｖｏの映像有効期間外である垂直ブランキング(ＶＢＬ)期間に重畳する。そして、伝送状態情報の重畳された映像信号Ｖｓを、所定の映像送信部３００Ａを用いて、スタジオ側に伝送する。図２に、伝送信号波形と映像表示画面の対応関係を示す。
【００７７】
スタジオ側では、所定の映像受信部４００Ａを用いて受信した映像信号Ｖs'から、重畳情報抽出＆映像変換部７Ｒｔおよび異常検出重畳部７Ｔｇで、ＶＢＬ期間に重畳された伝送状態を表す情報Ｓa'，Ｓb'，Ｓcを抽出する。そして、これら抽出された伝送状態を表す情報Ｓa'，Ｓb'，Ｓc'を、同期信号C.SYNCを基準に取り込み、これら情報を同期信号C.SYNCを基準に、映像有効期間内に表示される伝送状態映像化信号Ｖrpfおよび状態信号Ｆrとして出力する。伝送状態映像化信号Ｖrpfは、モニタ５００で画面に表示される。
【００７８】
図３に、伝送状態映像重畳部７Ｔｔおよび異常検出重畳部７Ｔｇの構成を示し、以下に、説明する。
【００７９】
信号Ｓａは、電界強度−映像変換部７−１に入力され、該電界強度−映像変換部７−１の出力ＶOsaは、映像統合部７−４’に入力される。信号Ｓｂは、ＢＥＲ状態−映像変換部７−２に入力され、ＢＥＲ状態−映像変換部７−２の出力ＶOsbは、映像統合部７−４’に入力される。信号ＳｃおよびＦＳＴrcは、ゴースト状態−映像変換部７−３に入力される。ゴースト状態−映像変換部７−３の出力ＶOscは、映像統合部７−４’に入力される。
【００８０】
また、信号ＳｃおよびＦＳＴrcは、異常検知部７−５に入力される。異常検知部７−５の出力であるアラーム信号および入力されるＭＰＥＧフリーズ信号は、異常状態映像変換部７−６に入力される。異常状態映像変換部７−６の出力ＶOal,ＶOftは、映像統合部７−４’に入力される。ＩＤ信号発生部７−７の出力ＶOIDは、映像統合部７−４’に入力される。映像統合部７−４’からの同期信号C.SYNCは、電界強度−映像変換部７−１、ＢＥＲ状態−映像変換部７−２、ゴースト状態−映像変換部７−３、異常検知部７−５、異常状態映像変換部７−６、ＩＤ信号発生部７−７の同期入力端子に接続される。映像統合部７−４’からは伝送状態重畳映像信号Ｖｓが出力される。
【００８１】
電界強度−映像変換部７−１、ＢＥＲ状態−映像変換部７−２、ゴースト状態−映像変換部７−３、異常検知部７−５、異常状態映像変換部７−６は、同期信号C.SYNC入力に従って、各々の状態を示す信号をそれぞれ映像信号に変換する。ＩＤ信号発生部７−７は、後述のような信号を発生する。映像統合部７−４では、映像化されたこれらの信号を統合し、映像用の同期信号を付加した伝送状態重畳映像信号を生成する。
【００８２】
図４に、図３の映像統合部７−４’の実施の形態の構成を示し、以下に、説明する。映像信号は、外部映像同期型同期信号発生器７-4-5と加算器７-4-6に入力される。外部映像同期型同期信号発生器７-4-5からの同期信号C.SYNCは、外部へ出力される。加算器７-4-6は、各映像化信号と、映像信号を加算し伝送状態重畳映像信号Ｖｓを作成する。
【００８３】
図５に、この伝送状態重畳映像信号Ｖｓの模式波形を示す。これは、ゴースト状態映像化信号ＰＳｃ、電界強度映像化信号Ｓa0〜Ｓa5、ＢＥＲ状態映像化信号Ｓb0〜Ｓb5、異常状態映像化信号Ｆa,Ｆt、ＩＤ映像化信号ＩＤが重畳された映像信号のＶＢＬ期間の１ラインを示している。重畳情報は、重畳すべき走査線の前半１／３程度にアナログ的に振幅の大小とその時間位置で反射波状態を示すＳｃ、それ以後には、振幅の大小で電界状態を示すＳa0〜Ｓa5、振幅の大小でＢＥＲ情報を示すＳb0〜Ｓb5、振幅の大小でＭＰＥＧ−ＤＥＣ部２００Ｍのフリーズ状態を示すＦt、振幅の大小で反射波の異常を示すＦa、および振幅の大と小の２種が存在することで、マイクロ波回線の伝送状態を検知するためのＩＤ（ID1、ID2）である。
【００８４】
ここで、ゴースト状態映像化信号はアナログレベルで重畳されるため、 ゴースト状態波形は、振幅の連続的な大小と時間位置で反射波状態を示す形で表現される。電界強度レベルとＢＥＲ状態と異常状態とＩＤは、各々をバイナリー表現したディジタル値を、振幅の有無をディジタルの０または１と見立て重畳する。すなわち、ディジタル化した情報の値０，１を、振幅の有り無しで表現する。
【００８５】
図６(ａ)に、図３の電界強度−映像変換部７−１の実施の形態の構成を示し、以下に、説明する。
【００８６】
電界強度を表す信号Ｓａは、Ａ／Ｄ変換器７-1-1に入力されて、例えば、６ビットのディジタル信号ＤSaに変換される。この電界強度を表す信号ＤSaは、デコーダ(ＤＥＣ)７-1-2で、例えば、信号ＤSa0〜ＤSa5の全６の信号に変換される。
信号ＤSa0〜ＤSa5の各出力は、６個のアンドゲート(ＡＮＤ)７-1-4に入力される。  ＡＮＤ７-1-4の計６個の出力は、オアゲート(ＯＲ)７-1-5に入力される。
同期信号C.SYNCは、重畳位置パルス発生器７-1-3に入力され、ここで、同期信号C.SYNCのタイミングに応じて、対応する重畳位置のパルスａ0〜ａ5が出力される。  パルスａ0〜ａ5は、ＡＮＤ７-1-4のもう一方の端子に入力され、信号ＤSa0〜ＤSa5と論理積を取られる。
【００８７】
ここで、電界強度を表す信号ＤSaが００ｈ、即ち１０進で０なら、信号Ｄa0のみレベルＨであるから、パルスａ０のみ論理積がＨとなって、パルスａ０に対応する位置の信号ＤSa0のみ出力される。また、信号ＤSaが０３ｈ、即ち１０進で３なら、ＤSa0〜ＤSa3まで論理積がＨとなり、パルスａ０〜ａ３に対応する位置の信号ＤSa0〜ＤSa3が出力される。そして、ＯＲ７-1-5で論理和が取られ、電界強度映像化信号Ｓa0〜Ｓa5が出力される。
【００８８】
ここで、例えば、パルスａ０は、１２Ｈ目の走査線で、サンプル数が５１２サンプル〜５２０サンプルの位置に対応し、パルスａ１は、１２Ｈ目の走査線で、サンプル数が５２１〜５２９サンプルの位置に対応し、パルスａ５は、１２Ｈ目の走査線で、サンプル数が５４０〜５４８サンプルの位置に対応するものとすれば、この時の電界強度映像化信号Ｓa0〜Ｓa5は、図６(ｂ)に示すように、映像有効エリア外であるＶＢＬ期間に重畳されることになる。
【００８９】
次に、図７(ａ)に、図３のＢＥＲ状態−映像変換部７−２の実施の形態の構成を示し、以下、説明する。
【００９０】
ＢＥＲ状態を表す信号Ｓｂは、Ａ／Ｄ変換器７-2-1に入力され、約３ビットのディジタル信号ＤSbに変換される。該ＢＥＲ状態を示す信号ＤSbは、デコーダ(ＤＥＣ)７-2-2にて、例えば、信号Ｄb0〜Ｄb4の全５つの信号に変換される。Ｄb0〜Ｄb4の各出力は、５個のアンドゲート(ＡＮＤ)７-2-4に入力される。そしてＡＮＤ７-2-4の計５個の出力は、オアゲート(ＯＲ)７-2-5に入力される。同期信号C.SYNCは、重畳位置パルス発生器７-2-3に入力され、同期信号C.SYNCのタイミングに応じて、ＢＥＲ状態を示す信号を重畳するためのパルスｂ0〜ｂ4が出力される。
【００９１】
パルスｂ０〜ｂ４は、ＡＮＤ７-2-4のもう一方の端子に入力され、信号ＤSb0〜ＤSb4と論理積を取られる。ここで、ＢＥＲ状態を表す信号ＤSbが００ｈ、即ち１０進で０なら、信号ＤSb0のみレベルＨであるから、パルスｂ０のみ論理積がＨとなって、パルスｂ０に対応する位置の信号ＤSb0が出力される。また、信号ＤSbが０３ｈ、即ち１０進で３なら、ＤSb0〜ＤSb3まで論理積がＨとなり、パルスｂ０〜ｂ３に対応する位置の信号ＤSb0〜ＤSb3が出力される。
【００９２】
重畳位置パルス発生器７-2-3は、例えば、ＮＴＳＣ用であれば、１４.3ＭＨｚクロックにてカウント動作し、Ｈ周期にてリセットされる９１０分周カウンタと、１／２Ｈクロックにてカウント動作し、Ｖ周期にてリセットされる５２５分周カウンタとの論理処理を行う。
【００９３】
これにより、図７(ｂ)に示すように、例えば、ｂ４信号は、走査線が１２Ｈ目で、サンプル数が５６０サンプル〜５６７サンプルの位置に対応し、ｂ３信号は、走査線が１２Ｈ目で、サンプル数が５６８サンプル〜５７５サンプルの位置に対応して出力される。ｂ２信号は、走査線が１２Ｈ目で、サンプル数が５７６サンプル〜５８３サンプルの位置に対応し、ｂ１信号は、走査線が１２Ｈ目で、サンプル数が５８４サンプル〜５９１サンプルの位置に対応し、ｂ０信号は、走査線が１２Ｈ目で、サンプル数が５９２サンプル〜５９９サンプルの位置に対応して出力される。したがって、この時のＢＥＲ状態映像化信号Ｓb0〜Ｓb4は、図７の(ｂ)に示すように、映像有効エリア外であるＶＢＬ期間に重畳されることになる。
【００９４】
次に、図８に、図３のゴースト状態−映像変換部７−３の実施の形態の構成を示し、以下に、説明する。
【００９５】
前述したゴースト状態を表す相関出力信号Ｓｃは、Ａ／Ｄ変換器７-3-1に入力され、８ビットのディジタルの相関出力信号ＤScに変換される。そして、この信号ＤScはＦＩＦＯ７-3-2に入力される。また、前述のフレーム周期のパルスＦＳＴrcは、ＦＩＦＯ７-3-2の書き込みリセット端子に入力される。ＦＩＦＯ７-3-2のディジタル相関出力信号Ｄ'Scは、Ｄ／Ａ変換器７-3-4に入力される。Ｄ／Ａ変換器７-3-4の出力は、ゴースト状態映像化信号Ｐscとして出力される。また、前述の同期信号C.SYNCは、タイミングパルス発生器７-3-3に入力される。そして、該発生器７-3-3は、同期信号C.SYNCに応じ、ＦＩＦＯ７-3-2に読出しリセット信号RRSTと読出しイネーブル信号ＲＥを出力する。
【００９６】
図９に、信号C.SYNC、RRST、ＲＥの各信号とゴースト状態映像化信号Ｐscとの関係を示し、以下に、この動作について説明する。
【００９７】
タイミングパルス発生器７-3-3は、例えば、映像周期での１２Ｈ目で、１２８サンプル目に、リセット信号RRSTを出力し、ＦＩＦＯ７-3-2に、最初の書き込み内容から読み出し準備を行わせる。また、１２Ｈ目、１３０〜４００サンプル目にレベルＬとなるＲＥ信号を出力し、これに応じて、ＦＩＦＯ７-3-2に書き込まれた内容(Ｄ'Sc)が、順番に読み出される。そして、読み出された信号Ｄ'Scは、Ｄ／Ａ変換器７-3-4によりアナログ状態のゴースト状態映像化信号Ｐscとなり、映像期間のＶＢＬ期間に出力される。
【００９８】
次に、図１０に、図３の異常検知部７−５の実施の形態の構成を示し、以下に、説明する。異常検知部７−５は、Ｓｃ、ＦＳＴｒｃから、ゴースト状態が危険である旨を示すアラーム（ＡＬＡＲＭ）信号を出力する。
【００９９】
図１０において、Ｓｃ、ＦＳＴｒｃ、Ｃ．Ｓｙｎｃは異常ゴースト状態残留表示部７−５Ｂに接続される。ゴースト状態映像化信号Ｓｃ'は異常状態検知器７−５Ａに接続される。異常ゴースト状態残留表示部７−５Ｂの出力Ｃ−Ｓ及びＣ−Ｈは異常状態検知器７−５Ａに接続される。異常状態検知器７−５Ａの出力ＡＢＮは異常ゴースト状態残留表示部７−５Ｂ、警告音発生器７−５Ｃ及びタイマ回路７−５Ｄに接続される。タイマ回路７−５Ｄの出力Ｇ２は異常ゴースト状態残留表示部７−５Ｂに接続される。
【０１００】
異常状態検知器７−５Ａは、ゴースト状態映像化信号Ｓｃ'の画面上における表示位置をＣ−Ｓ及びＣ−Ｈから検知する。異常状態とされる所定の位置に現在のゴースト状態波形が表示されたら（つまり異常状態が検出されたら）Ｈレベル、表示されなかったら（つまり異常状態が検出されなかったら）Ｌレベルとなる信号ＡＢＮを出力する。
【０１０１】
異常ゴースト状態残留表示部７−５Ｂの出力である異常ゴースト状態映像化信号ＣＮＴは、ＡＢＮがＬレベルの時（異常状態が検出されない時）にはＬレベルとなり、ＡＢＮがＨレベルの時（異常状態が検出された時）には異常ゴースト状態映像化信号が出力される。警告音発生器７−５Ｃは、ＡＢＮがＨレベルの時警告音を発生する。タイマ回路は７−５Ｄは、異常ゴースト状態の残留表示時間を制御する。一定時間内常時表示する、一定時間内点滅させて表示する、消去される直前に点滅させて表示するなどの制御も可能である。
【０１０２】
図１１に、図１０の異常ゴースト状態残留表示部７−５Ｂの実施の形態の構成を示し、以下に、説明する。従来の横表示ゴースト状態映像変換部に、ＦＩＦＯ書込み制御器５Ｂ−１２とゲート５Ｂ−１４を付加した構成になっている。
【０１０３】
相関波形ＳｃはＡ／Ｄ変換器５Ｂ−１に接続される。Ａ／Ｄ変換器５Ｂ−１の出力ＤＳｃは、ＦＩＦＯ５Ｂ−２の書き込みデータ端子に接続される。ＦＩＦＯ５Ｂ−２の出力Ｄ'Ｓｃｈｂは、比較器５Ｂ−４に接続される。比較器５Ｂ−４の出力ＬＥｈｂはゲート５Ｂ−１３に接続される。ゲート５Ｂ−１３の出力ＬＥｈｂ'はゲート５Ｂ−１４に入力される。ＦＳＴｒｃ信号はＦＩＦＯ書込み制御器５Ｂ−１２に接続される。ＦＩＦＯ書込み制御器５Ｂ−１２の出力ＷＲＳＴｂ、ＷＥｂはそれぞれＦＩＦＯ５Ｂ−２のＷＲ端子、ＷＥ端子に接続される。Ｃ．Ｓｙｎｃ信号はＣＫ再生器５Ｂ−６、Ｈ抽出器５Ｂ−７及びＶ抽出器５Ｂ−８に接続される。
【０１０４】
ＣＫ再生器５Ｂ−６の出力ＣＫはＦＩＦＯ書込み制御器５Ｂ−１２に接続される。Ｈ抽出器５−５−７の出力ＨＤはカウンタ５−５−１０に接続される。Ｖ抽出器５Ｂ−１１の出力ＶＤはＨカウンタ５Ｂ−１１に接続される。カウンタ５Ｂ−１０の出力Ｃ−Ｓはデコーダ５Ｂ−３及びデコーダ５Ｂ−５に接続される。Ｈカウンタ５Ｂ−１１の出力Ｃ−Ｈはデコーダ５Ｂ−３に接続される。デコーダ５Ｂ−５の出力Ｄｈｈは比較器５Ｂ−４に接続される。デコーダ５Ｂ−３の出力ＲＥは、ＦＩＦＯ５Ｂ−２のＲＥ端子に接続される。デコーダ５Ｂ−３の出力ＲＲＳＴはＦＩＦＯ５Ｂ−２のＲＲ端子に接続される。デコーダ５Ｂ−３の出力Ｇ１はゲート５Ｂ−１３に接続される。
【０１０５】
ＦＩＦＯ５Ｂ−２は異常状態のゴースト状態記憶用ＦＩＦＯである。書込み動作において、通常時には従来と同様に書込みを更新されるが、異常発生時には一定時間停止され異常状態のゴースト状態波形が一定時間保留される。読出し動作においては、従来と同様の読出し制御信号ＲＥ及びＲＲＳＴを受け取り、常時同様に行われる。
【０１０６】
ＦＩＦＯ書込み制御器５Ｂ−１２は、異常状態のゴースト状態記憶用ＦＩＦＯ５Ｂ−２の書込みを制御する。 書込み制御信号ＷＲＳＴｂ、ＷＥｂは異常状態検知器７−５Ａの出力ＡＢＮにより切り換わる。比較器５Ｂ−４は、ＦＩＦＯ５Ｂ−２の出力Ｄ'Ｓｃｈｂに対し従来と同様の動作を行う。ゲート５Ｂ-13はＬＥｈｂのブランキング期間に強制的にレベルＬにする。ゲート５Ｂ-14は、出力ＣＮＴを通常時には強制的にレベルＬにし、異常時にのみゲート５Ｂ-13の出力をＬＥｈｂ'を出力する。
【０１０７】
次に、デコーダ５Ｂ−５の出力Ｄｈｈ、ＦＩＦＯ５Ｂ−２の出力Ｄ'Ｓｃｈｂ及び比較器５Ｂ−４の出力ＬＥｈｂの動作を、図１０を用いて説明する。
【０１０８】
ＬＥｈは従来通り出力され画面に表示される。ＬＥｈｂは、異常状態のゴースト状態波形Ｄ'ｓｃｈｂとＤｈｈによりＬＥｈと同様の処理により出力され、画面に表示される。但し、通常状態にはＤ'ｓｃｈｂは現在のゴースト状態波形となるため、ＬＥｈｂはＬＥｈと同様の信号が出力されるが、ゲート５Ｂ−１４により強制的にＬレベルにされるため画面に表示されない。
【０１０９】
図１３に、図１０の異常状態検知器７−５Ａの実施の形態の構成を示し、以下に、説明する。これは、図１２のように表示画面をＡ〜Ｈの８つの領域に分割した場合の構成である。
【０１１０】
信号Ｓｃ'は状態検知信号発生器５Ａ−３に接続される。信号Ｃ−Ｓ及びＣ−Ｈは共にデコーダ５Ａ−１及びデコーダ５Ａ−２に接続される。デコーダ５Ａ−１の８出力Ｒａ、…、Ｒｈ及びデコーダ５Ａ−２の出力ＲＥＳＥＴ及びＦ＿ＥＮＤは異常検知信号発生器５Ａ−３に接続される。なお、デコーダ５Ａ−１の出力は、表示画面を分割した数だけ出力される。
【０１１１】
デコーダ５Ａ−１は、Ｃ−Ｓ及びＣ−Ｈから現在の画面上の走査位置を領域単位で示す８つの信号を出力する。例えばこの８つの出力において、現在図１２の領域Ａを走査している場合には、信号ＲａのみがＨレベルでその他の信号Ｒｂ、Ｒｃ、…、ＲｈはＬレベルとなる。デコーダ５Ａ−２は、映像信号のフレーム終了付近のＶブランキング期間内にＨレベルとなる信号ＲＥＳＥＴ及びＦ＿ＥＮＤを出力し、異常検知信号発生器５Ａ−３が出力するＡＢＮをフレーム単位で更新する。
【０１１２】
図１４に、図１３の異常条件検出器５Ａ−３の実施の形態の構成を示し、以下に、説明する。Ｓｃ'は８個のＡＮＤゲート５Ａ−3-1に接続される。デコーダ５Ａ−１からの８出力Ｒａ、Ｒｂ、…、Ｒｈはそれぞれ８個のＡＮＤゲート５Ａ−3-1に接続される。ＲＥＳＥＴ信号は８個のＳ−Ｒ型フリップフロップ(ＳＲＦＦ)５Ａ−3-2に接続される。Ｆ＿ＥＮＤはＤ型フリップフロップ(ＤＦＦ)５Ａ−3-4に接続される。８個のＡＮＤゲート５Ａ−3-1からの各出力はそれぞれ８個のＳＲＦＦ５Ａ−3-2に接続される。ＳＲＦＦ５Ａ−3-2からの各出力は異常条件検出器５Ａ−3-4に接続される。異常条件検出器５Ａ−3-4の出力Ｓ＿ＡＢＮはＤＦＦ５Ａ−3-4に接続される。
【０１１３】
図１４の各ＡＮＤゲートにおいて、Ｓｃ'とＲａ、Ｒｂ、…、Ｒｈそれぞれの論理積ＡＮＤａ、ＡＮＤｂ、…、ＡＮＤｈを各々出力する。それらをそれぞれＳＲＦＦのセット端子に入力し、各領域内にゴースト状態波形の表示の有無を示す信号ＳＲａ、ＳＲｂ、…、ＳＲｈを出力する。これらの信号は、Ｈレベルの時には表示ありを、Ｌレベルの時には表示なしを示す。これらの信号を基に、異常条件検出器５Ａ−3-3において異常状態発生を検出し、異常状態が検知された時にはＨレベル、検知されなかったときにはＬレベルとなる信号Ｓ＿ＡＢＮを出力する。これがＤＦＦ５Ａ−3-4に入力され、Ｆ＿ＥＮＤ信号をイネーブルとし異常状態検知結果が毎フレーム更新される信号ＡＢＮを出力する。なお、 Ｆ＿ＥＮＤ信号によりＡＢＮ信号が更新された後、ＳＲＦＦはＲＥＳＥＴ信号によりリセットされる。
【０１１４】
次に、図１５に、図１４の異常条件検出器５Ａ−3-3の実施の形態の構成を示し、以下に、説明する。ＳＲｂはＮＯＴゲート５Ａ−3-3-1に接続される。ＳＲｃはＮＯＴゲート５Ａ−3-3-2に接続される。ＳＲｄはＮＯＴゲート５Ａ−3-3-3に接続される。ＳＲａ、ＳＲｅ、ＳＲｆ、ＳＲｇ、ＳＲｈの５つの信号はＡＮＤゲート５Ａ−3-3-4に接続される。ＮＯＴゲート５Ａ−3-3-1、５Ａ−3-3-2、５Ａ−3-3-3の各出力ＳＲｂ'、ＳＲｃ'、ＳＲｄ'はＡＮＤゲート５Ａ−3-3-4に接続される。
【０１１５】
図１２において、Ａ〜Ｈの８つの領域に対し、図のようにゴースト状態波形が表示される時を異常状態とし、これを検出する。この時、ゴースト状態波形の表示が領域Ａ及びＥ〜Ｈにあり、領域Ｂ、Ｃ、Ｄになければ良い。そこで、ＳＲｂ、ＳＲｃ、ＳＲｄに対し否定を求め、ＳＲａ、ＳＲｂ'、ＳＲｃ'、ＳＲｄ'、ＳＲｅ〜ＳＲｈの論理積Ｓ＿ＡＢＮにより、所定のゴースト状態表示状態を検出できる。Ｓ＿ＡＢＮは、異常状態が検知された時にはＨレベル、検知されなかったときにはＬレベルとなる。
【０１１６】
次に、図１３、図１４、図１５の全体動作を、図５および図１６を用いて説明する。例として、表示画面を図１２のようにＡ〜Ｈの８つの領域に分割し、ゴースト状態波形が表示された場合を考える。簡略化するため、飛び越し走査を考えず１画面を単に６本の走査線で表示することとする。このときの信号タイムチャートを示す。
【０１１７】
Ｒａ〜Ｒｈはそれぞれ領域Ａ〜Ｈが走査された時にＨレベルとなる。Ｆ＿ＥＮＤは、１画面の走査が終了しＶブランキング期間に一定時間Ｈレベルとなる。ＲＥＳＥＴは、Ｆ＿ＥＮＤの後Ｖブランキング期間に一定時間Ｈレベルとなる。ＳＲａ〜ＳＲｈは、それぞれＲａ〜ＲｈがＨレベルの時にＬＥｈａがＨレベルになると、Ｈレベルとなる。Ｓ＿ＡＢＮはＳＲａ〜ＳＲｈが条件を満たした時Ｈレベルとなる。ＡＢＮは、Ｓ＿ＡＢＮの状態がＦ＿ＥＮＤの立上りで保持（更新）されている。ＳＲａ〜ＳＲｈはＲＥＳＥＴの立上りによりリセットされ、これによりＳ＿ＡＢＮもリセットされＬレベルとなる。
【０１１８】
次に、図１７(ａ)に、図３の異常状態映像変換部７−６の実施の形態の構成を示し、以下に、説明する。アラーム信号、ＭＰＥＧフリーズ信号は、それぞれ２ヶのＡＮＤゲート７-6-4に入力される。ＡＮＤゲート７-6-4の計２ヶの出力は、それぞれＶOal、ＶOft として出力される。Ｃ．ＳＹＮＣ信号は、重畳位置パルス発生器７-6-3に入力される。重畳位置パルス発生器７-6-3は、Ｃ．ＳＹＮＣ信号のタイミングに応じ、ｆ１とｆ２パルスを出力する。
【０１１９】
図１７(ｂ)に、映像タイミングにおけるｆ１とｆ２パルスの位置を示す。ｆ１、ｆ２パルスは、ＡＮＤゲート７-6-4のもう一方の端子の入力され論理積を取られる。  ｆ１パルスは、走査線１２Ｈ目、かつ、サンプル数６４０サンプル〜６４３サンプルの場合に重畳される。ｆ２パルスは、サンプル数６４４サンプル〜６４７サンプルの場合に重畳される。
【０１２０】
次に、図１８（ａ）に、図３のＩＤ信号発生部７−７の実施の形態の構成を示し、以下に、説明する。内部発生した信号Ｈは、ＩＮＶ７-7-20 を経由し１ヶ目のＡＮＤゲート７−7−4 に入力される。また経由しないで２ヶ目のＡＮＤゲート７-7-4 に入力される。それそれの出力として、ＶOIDを示すＶOID１、ＶOID2が出力される。Ｃ．ＳＹＮＣ信号は、重畳位置パルス発生器７-7-3 に入力される。重畳位置パルス発生器７-7-3 は、Ｃ．ＳＹＮＣ信号のタイミングに応じ、ｄ３からｄ４パルスを出力する。
【０１２１】
図１８（ｂ）に、映像タイミングにおけるｄ３とｄ４パルスの位置を示す。ｄ３、ｄ４パルスは、ＡＮＤゲート７-7-4 のもう一方の端子の入力され論理積を取られる。ｄ３信号は、走査線１２Ｈ、かつ、サンプル数６４８サンプル〜６５１サンプルの場合に重畳される。ｄ４信号は、サンプル数６５２サンプル〜６５５サンプルの場合に重畳される。
【０１２２】
そして、図４の映像統合部７−４’において、入力された映像信号から、その同期信号であるＣ．ＳＹＮＣを取り出し出力する。また、入力された映像信号とＶOｓa…ＶOIDを加算し、伝送状態重畳映像信号Ｖｓとして出力する。この伝送状態重畳映像信号Ｖｓは、図１の映像送信部３００Ａによりスタジオ側にマイクロ波回線を利用して伝送される。
【０１２３】
このため映像送信部３００Ａからの図５（ａ）の伝送状態重畳映像信号波形は、マイクロ波回線を利用してスタジオ側の映像受信部４００Ａに伝送され、その間の伝送状態が、図５（ｂ）のように劣化した受信波形となる状態になり、誤差が生じる。この結果、映像化された伝送状態波形のレベルも変動を受けた波形となる。すなわち誤差の多い表示となる懸念がある。しかしながら、伝送状態の異常は予め中継段の受信側で検出済みであり、その結果は重畳情報Ｆa,Ｆtとして伝送されているため、レベル変動の影響を受け難い。
【０１２４】
さらに大きな変動が混入する異常な伝送状態が発生すると、振幅の大小で電界状態を示すＳa0〜Ｓa5、振幅の大小でＢＥＲ情報を示すＳb0〜Ｓb5、振幅の大小でＭＰＥＧ−ＤＥＣ部２００Ｍのフリーズ状態を示すＦt、振幅の大小で反射波の異常を示すＦa等も、振幅大を伝送したのにも関わらず、振幅小と判定されるケースも生じる。
【０１２５】
このような状態に対応するため、振幅の大と小の２サンプル点の情報からなるＩＤ（ID1、ID2）も重畳伝送される。ここで、ＩＤはID1、ID2の２サンプルからなる。レベルが上がった場合、１サンプル目の振幅大はより大きく、２サンプル目の振幅小は、振幅大に近づく。このため、１,２サンプル目ともレベル大となり、中継伝送が正常でないことを検知できる。また、逆にレベルが下がった場合、１サンプル目の振幅大は小さく、２サンプル目の振幅小は、より振幅小に近づく。このため、１,２サンプル目ともレベル小となり、中継伝送が正常でないことを検知できる。この結果、重畳情報抽出＆映像変換部７Ｒｔ及び確認ゲート部７Ｒｇは、重畳された情報が正常でないことを認識できる。正常でないことを確認した場合、伝送状態異常を示す伝送状態情報信号Ｆrを出力し、伝送状態映像信号Ｖrpfの映像表示を止めるか、伝送状態異常を表す映像表示とする。
【０１２６】
次に、図１９に、図１の重畳情報抽出＆映像変換部７Ｒｔおよび確認ゲート部７Ｒｇの実施の形態の構成を示し、以下に、説明する。
【０１２７】
重畳情報抽出＆映像変換部７Ｒｔおよび確認ゲート部７Ｒｇは、上記伝送状態を表す情報Sa0'〜Sa5',Sb0'〜Sb4'，Ｐsc'，Ｆt'，Ｆa'，ID(ID1,ID2)がＶＢＬ期間に重畳された重畳映像信号Ｖs'が入力する。重畳情報抽出＆映像変換部７Ｒｔは、重畳電界強度抽出＆映像変換部７−１Ｖ、重畳ＢＥＲ状態抽出＆映像変換部７−２Ｖ、重畳ゴースト状態抽出＆映像変換部７−３Ｖ、映像統合部７−４V'により構成される。確認ゲート部７Ｒｇは、重畳他情報抽出＆映像変換部７−６Ｖ、ＩＤ確認部部７−７Ｖ、ゲート７−８Ｖ、ゲート７−９Ｖにより構成される。
【０１２８】
映像統合部７−４V'からの同期信号C.SYNCは、映像信号Ｖs'から取り出され、重畳電界強度抽出＆映像変換部７−１Ｖ、重畳ＢＥＲ状態抽出＆映像変換部７−２Ｖ、重畳ゴースト状態抽出＆映像変換部７−３Ｖ、重畳他情報抽出＆映像変換部７−６Ｖ、ＩＤ確認部部７−７Ｖに入力される。
【０１２９】
重畳電界強度抽出＆映像変換部７−１Ｖの出力VOsa、重畳ＢＥＲ状態抽出＆映像変換部７−２Ｖの出力VOsb、重畳ゴースト状態抽出＆映像変換部７−３Ｖの出力VOsc、重畳他情報抽出＆映像変換部７−６Ｖの出力VOal, VOftの出力は、ゲート７−９Ｖに入力され、ＩＤ確認部７−７ＶからＯＫフラグが出力された場合、ゲートされて、映像統合部７−４Ｖに入力される。
【０１３０】
重畳電界強度抽出＆映像変換部７−１Ｖ、重畳ＢＥＲ状態抽出＆映像変換部７−２Ｖ、重畳ゴースト状態抽出＆映像変換部７−３Ｖ、重畳他情報抽出＆映像変換部７−６Ｖ、ＩＤ確認部７−７Ｖは、同期信号C.SYNCを基準として、入力される重畳映像信号Ｖs'のＶＢＬ期間に重畳された伝送状態を表す各情報Sa0'〜Sa5',Sb0'〜Sb4',Psc',Ft',Fa',ID(ID1,ID2)の存在する期間をそれぞれ求め、これらの各情報を抽出する。そして、後述のようにして、映像有効期間内の所定の位置に表示されるように、それぞれの伝送状態を表す映像化信号VOsa,VOsb,VOsc, VOal,VOftに変換される。そして、ＩＤ確認部７−７ＶからＯＫフラグが出力された場合、伝送状態を表す映像化信号VOsa,VOsb,VOsc,VOal,VOftはゲート７−９Ｖでゲートされ、映像統合部７−4V'で、これらの各映像化信号が統合され、伝送状態映像化信号Vrpfとして出力される。ＯＫフラグが出力されない場合、伝送状態異常を表す情報VOal,VOftがゲート７−９Ｖでゲートされ、伝送状態映像化信号Vrpfとして出力される。
【０１３１】
また、重畳他情報抽出＆映像変換部７−６Ｖで抽出された中継段でのＭＰＥＧフリーズ状態を示すＭＰＥＧフリーズフラグＦft、反射波の異常状態を示すアラームフラグＦal、ＩＤ確認部７−７Ｖの出力は、ゲート７−８Ｖに入力される。
【０１３２】
ここで、ＩＤ確認部７−７Ｖは、Ｖｓ’信号からＩＤ信号が正常に確認できた場合は、マイクロ波回線の伝送状態が良好であるとして、ＯＫフラグを出力する。この場合、重畳情報抽出映像変換部７−６ＶからのアラームフラグＦal、ＭＰＥＧフリーズフラグＦftは劣化していないため、中継段でのＭＰＥＧフリーズ状態、反射波の異常状態を忠実に示すものとして、ゲート７−８Ｖでゲートされ、そのまま、伝送状態情報信号Ｆｒとして出力される。
【０１３３】
しかし、Ｖｓ’信号中のＩＤ信号に異常がある場合は、マイクロ波回線の伝送状態が不良であるため、ＩＤ確認部７−７ＶからＯＫフラグが出力されない。この場合は、重畳情報抽出映像変換部７−６Ｖから出力されるアラームフラグＦal、ＭＰＥＧフリーズフラグＦftも劣化している危険性があり、中継段でのＭＰＥＧフリーズ状態、反射波の異常状態を忠実に示していないため、伝送状態情報信号Ｆｒとして利用できない。そこで、ＯＫフラグが出力されない場合、ゲート７−８Ｖでは、重畳情報抽出映像変換部７−６Ｖから出力されるアラームフラグＦal、ＭＰＥＧフリーズフラグＦftを出力せず、伝送状態異常であるとして、アラーム、ＭＰＥＧフリーズを示す伝送状態情報信号Ｆｒを出力する。
【０１３４】
図１９の映像統合部７−４Ｖ’は、図４の映像統合部７−４’と同様の構成、動作をするもので、重畳映像Ｖｓ’からＣ．ＳＹＮＣを取り出し、各部７−１Ｖなどに配る。各部は、これを基準として重畳情報のタイミングを図り、抽出する。そして抽出された電界情報であるVOsa、ＢＥＲ情報であるVOsb、ゴースト状態情報であるVOsc、フリーズフラグ情報であるVOft、ゴースト状態異常のアラームであるVOalとして映像信号に変換される。正常な伝送がなされたことを示す情報であるVOIDは、正常であればＩＤ確認部７−７Ｖが示すＯＫフラグを出力する。異常時は、ＯＫフラグが出力されないようにゲート７−８Ｖが動作し、Ｆｒを無効とする。また、ゲート７−９Ｖも動作し、映像化信号Ｖrpfに異常を示す表示を行う。正常な伝送がなされた場合、Ｆｒはゲート７−８Ｖを通過して、伝送状態情報信号Ｆｒとなる。
【０１３５】
重畳他情報抽出＆映像変換部７−６Ｖは、該アラーム信号とＭＰＥＧフリーズ信号が異常な場合は、異常を示す映像、本例ではＮＧという文字を中央左に示す映像信号VOftと、ＡＬＡＲＭの文字を中央左やや下に示す映像信号VOalを出力する。バーグラフ的に電界強弱を示す映像信号VOsa、最大５ヶのブロック状でＢＥＲを示す映像信号VOsb、山の高低で主波と反射波の時間関係とその強弱を示す映像信号VOsc等と、映像統合部７−４Ｖ’で加算されて伝送状態映像信号Ｖrpfとなる。なお統合は単純加算でも良いし、また、信号レベルの高いものを選択する方法でも良い。
【０１３６】
図２０に、この伝送状態映像化信号Vrpf(Vosa,Vosb,Vosc,VOal,Voft)を、図１のモニタ５００に供給し、その映像表示画面の映像有効期間に表示した場合の模式図である。このように、映像表示画面の映像有効期間に、各種伝送状態映像化信号(電界強度−Vosa、ＢＥＲ状態−Vosb、ゴースト状態−Vosc)と、伝送状態異常を示す映像化信号(VOal, Voft)が表示されるので、ＯＦＤＭ伝送装置から遠く離れた地点であるスタジオ側にいるディレクタ等が、伝送状態を的確に把握できるようになる。
【０１３７】
図２１に、図１９の重畳電界強度抽出＆映像変換部７−１Ｖの実施の形態の構成を示し、以下に、説明する。前述のように、映像信号Ｖs'の１２Ｈ目に重畳されたアナログ状態の電界強度情報Ｓa0'〜Ｓa5'は、コンパレータ７−1V-1に入力され、ディジタル信号ＤSa0'〜ＤSa5'に変換される。この信号ＤSa0'〜ＤSa5'は、時系列的に並んだ信号である。該信号ＤSa0'〜ＤSa5'は、シリアル・パラレル変換(Ｓ／Ｐ)＆ラッチ７−1V-1に入力され、例えば６ビットのパラレルデータＤSa[５：０]Ｐ'に変換される。Ｓ／Ｐ＆ラッチ７−1V-1の出力ＤSa[５：０]Ｐ'は、並列化＆サンプルホールドされたものであり、デコーダ７−1V-2に入力される。そして、デコーダ７−1V-2で、６ビットのＤSa[５：０]Ｐ'は、例えば６４個からなるデータDSa63'〜DSa0'に変換される。
【０１３８】
デコーダ７−1V-2の出力DSa63'〜DSa0'は、６４個のＡＮＤゲート７−1V-4に入力される。ＡＮＤゲート７−1V-4の計６４個の出力は、ＯＲゲート７−1V-5に入力される。同期信号C.SYNCは、重畳電界強度抽出＆表示位置パルス発生器７−1V-3に入力される。重畳電界強度抽出＆表示位置パルス発生器７−1V-3は、C.SYNC信号のタイミングに応じ、抽出パルスＰsaと、表示位置パルスａ63'〜ａ０'パルスを出力する。
【０１３９】
抽出パルスＰsaは、映像有効期間外の例えば１２Ｈ目、サンプル数５１２サンプル〜５４８サンプルの間に、計６パルス出力される。また、表示位置パルスａ０'〜ａ63'パルスは、映像有効期間内の例えば走査線２００〜２０３Ｈ、サンプル数３８４サンプル〜６４０サンプルの場合にレベルＨとなるパルスである。
【０１４０】
即ち、ａ0'信号は、走査線２００Ｈ〜２０３Ｈで、サンプル数３８４サンプル〜３８７サンプルの位置に表示される。ａ62'信号は、走査線２００Ｈ〜２０３Ｈで、サンプル数６３２サンプル〜６３５サンプルの位置に表示される。ａ63'信号は、走査線２００Ｈ〜２０３Ｈで、サンプル数６３７サンプル〜６４０サンプルの位置に表示される。
【０１４１】
このパルスａ0'〜ａ63'は、ＡＮＤゲート７−1V-4のもう一方の端子に入力され、ＡＮＤゲート７−1V-4で、DSa63'〜DSa0'の各出力と論理積が取られる。ここで、図２３の(ｂ)に、上記抽出パルスＰsaと表示位置パルスａ0'〜ａ63'の映像表示画面上における位置関係を模式的に示す。
【０１４２】
図２２(ａ)に、図１９の重畳ＢＥＲ状態抽出＆映像変換部７−２Ｖの実施の形態の構成を示し、以下に、説明する。前述の様に、映像信号Ｖs'の１２Ｈ目に重畳されたアナログ状態のＢＥＲ状態情報Sb0'〜Sb4'は、コンパレータ７−2V-1に入力され、ディジタル信号DSb0'〜DSb4'に変換される。この信号DSb0'〜DSb4'は、計５個の信号が時間的に連続して並んだものである。該信号DSb0'〜DSb4'は、シリアル・パラレル変換(Ｓ／Ｐ)＆ラッチ７−2V-2に入力され、例えば計５個のパラレルデータDSb0'〜DSb4'に変換される。そして、この信号DSb0'〜DSb4'の各出力は、５個のＡＮＤゲート７−2V-4に入力される。ＡＮＤゲート７−2V-4の計５個の出力は、ＯＲゲート７−2V-5に入力される。
【０１４３】
同期信号C.SYNCは、重畳ＢＥＲ状態抽出＆表示位置パルス発生器７−2V-3に入力される。該発生器７−2V-3は、C.SYNC信号のタイミングに応じて、表示位置パルスであるｂ0'からｂ4'パルスを映像有効期間に出力する。また、抽出パルスＰSb'を映像有効期間外の１２Ｈ目に出力する。ここで、図２２(ｂ)に、上記抽出パルスＰSbと表示位置パルスｂ0'〜b4'の映像表示画面上における位置関係を模式的に示す。
【０１４４】
重畳ＢＥＲ状態抽出＆表示位置パルス発生器７−2V-3は、ＮＴＳＣ用であれば、１４．３ＭＨｚクロックにてカウント動作し、かつＨ周期にてリセットされる９１０分周カウンタと、１／２Ｈクロックにてカウント動作しかつ、Ｖ周期にてリセットされる５２５分周カウンタとの論理処理を行う。
【０１４５】
その結果、例えば、ｂ0'信号は、走査線８０Ｈ〜９６Ｈで、サンプル数５１２サンプル〜５２６サンプルの位置に表示される。ｂ1'信号は、走査線８０Ｈ〜９６Ｈで、サンプル数５２８サンプル〜５４２サンプルの位置に表示される。ｂ2'信号は、走査線８０Ｈ〜９６Ｈで、サンプル数５４４サンプル〜５５８サンプルの位置に表示される。ｂ3'信号は、走査線８０Ｈ〜９６Ｈで、サンプル数５６０サンプル〜５７４サンプルの位置に表示される。ｂ4'信号は、走査線８０Ｈ〜９６Ｈで、サンプル数５７６サンプル〜５９０サンプルの位置に表示される。
【０１４６】
図２３に、図１９の重畳ゴースト状態抽出＆映像変換部７−３Ｖの実施の形態の構成を示し、以下に、説明する。前述の様に、映像信号Ｖs'の１２Ｈ目に重畳されたゴースト状態情報ＰSc'は、Ａ／Ｄ変換器７−3V-1に入力される。Ａ／Ｄ変換器７−3V-1の出力Ｄ'Scは、ＦＩＦＯ７−3V-2の書き込みデータ端子に接続される。ＦＩＦＯ７−3V-2の出力Ｄ'Schは、比較器７−3V-4に入力される。比較器７−3V-4の出力ＬＥは、ゲート７−3V-5に入力される。
【０１４７】
同期信号C.SYNCは、ＣＫ再生器７−3V-6、ＨＤ抽出器７−3V-7、ＶＤ抽出器７−3V-8にそれぞれ接続される。ＣＫ再生器７−3V-6の出力ＣＫは、カウンタ７−3V-9に接続される。カウンタ７−3V-9からの出力ＷＥは、ＦＩＦＯ７−3V-2のＷＥ端子に接続される。ＨＤ抽出器７−3V-7の出力ＨＤは、カウンタ７−3V-10に接続される。カウンタ７−3V-10の出力Ｃ−Ｓは、デコーダ７−3V-3に接続される。ＶＤ抽出器７−3V-8の出力ＶＤは、Ｈカウンタ７−3V-11に接続される。Ｈカウンタ７−3V-11の出力Ｃ−Ｈは、デコーダ７−3V-3及びデコーダ７−3V-12に接続される。デコーダ７−3V-3の出力ＲＲＳＴは、ＦＩＦＯ７−3V-2のＲＲ端子に接続される。同様にデコーダ７−3V-3の出力ＲＥは、ＦＩＦＯ７−3V-2のＲＥ端子に接続される。
【０１４８】
ゴースト状態情報ＰSc'を抽出する制御信号ＷＲＳＴは、デコーダ７−3V-3からＦＩＦＯ７−3V-2の書き込みリセット端子ＷＲに、ＷＥはＦＩＦＯ７−3V-2の書き込み制御端子ＷＥに接続される。デコーダ７−3V-12の出力Ｄhhは比較器７−3V-4に接続される。ＣＫ再生器７−3V-6は、入力の同期信号C.SYNCを基に、例えば１４．３ＭＨｚのＣＫを再生する。ＨＤ抽出器７−3V-7は、同期信号C.SYNCからＨ周期成分を抽出し、Ｈ周期のＨＤ信号を出力する。カウンタ７−3V-10は、ＨＤ信号にてリセットされ、ＣＫ周期毎に値が増加するカウンタ信号Ｃ−Ｓを出力する。ＶＤ抽出器７−3V-8は、同期信号C.SYNCからＶ周期成分を抽出し、Ｖ周期のＶＤ信号を出力する。Ｈカウンタ７−3V-11は、ＶＤ信号にてリセットされ、１Ｈ周期毎に値が増加するカウンタ信号Ｃ−Ｈを出力する。
【０１４９】
デコーダ７−3V-3は、入力されるカウンタ信号Ｃ−Ｓとカウンタ信号Ｃ−Ｈとから、走査線ｍ本目からｍ＋ｎ本目の期間に、１Ｈ期間で１ＣＫ期間、レベルＬとなる読み出しリセット信号ＲＲＳＴを出力し、ＦＩＦＯ７−3V-2の読み出しアドレスを０番目に初期化する。また同じく走査線ｍ本目からｍ＋ｎ本目の期間にレベルＨとなる読み出しイネーブル信号ＲＥとで、ＦＩＦＯ７−3V-2の読み出しアドレスを進めることで、ＦＩＦＯ７−3V-2に書き込まれた相関演算信号ＳｃであるＤ'schが読み出される。デコーダ７−3V-12は、入力されるカウンタ信号Ｃ−Ｈから走査線ｍ本目にレベルｌａを出力し、以後１Ｈ毎にレベルをｉずつ低下させ、ｍ＋ｎ本目にｌｂとなるＤhhを発生する。比較器７−3V-4は、相関演算信号ＳｃであるＤ'schとＤhhを比較し、Ｄ'sch＞Ｄhhの期間、出力ＬＥhをレベルＨとする。ここで、図２４に、上記ＷＥの対応表示画面上における位置関係を模式的に示す。
【０１５０】
図２５に、以上説明した各信号の様子を示し、以下に、説明する。ＷＲＳＴ信号は、例えば、１２Ｈ目に情報重畳された映像信号Ｖｓ'の１２Ｈ目の１００サンプル目に出力され、ＦＩＦＯ７−3V-2を初期化する。ＷＥ信号は、例えば、１２Ｈ目に情報重畳された映像信号Ｖｓ'の１２Ｈ目の１２８サンプル目から２５６サンプル目までの期間にＬを出力し、ＦＩＦＯ７−3V-2にＤ'Scを書き込む。
【０１５１】
そして、Ｈ周期毎に、ｍ〜ｍ＋ｎ本目までＲＥ信号を出力し、書き込み内容を１データずつ順番に読み出す。映像のＨ周期に応じて読み出された信号Ｄ'Scは、Ｈ周期の値Ｄhhと比較され、Ｄ'Sc＜Ｄhhの期間にレベルＨとなるＬＥ信号が生じる。なお、ブランキング期間のＬＥ信号発生を防止するため、ブランキング期間にレベルＬとなるＧＩ信号を用いてブランキング期間は強制的にレベルＬとする。Ｓｃ信号のレベルが高ければ、Ｈレベルの期間が長いゴースト状態映像化信号が作成される。
【０１５２】
次に、図２６（ａ）に、図１９の重畳情報抽出映像変換部７−6Vの実施の形態の構成を示し、以下に、説明する。Ｖｓの１２Ｈ目に重畳されたアナログ状態の各種情報信号はコンパレータ７−6V-1に入力され、ディジタル信号ｄ0al、ｄ0ftに変換される。ｄ0al、ｄ0ftは時系列的に並んだ信号であり、これらはＳ-Ｐ＆ラッチ７−6V-12により並列化＆サンプルホールドされ、信号ＦalとＦft信号に変換される。また、ＡＮＤ７−6V-4 を経由して映像化信号Ｖ0al、Ｖ0ftとして出力される。Ｃ．ＳＹＮＣ信号は、重畳他情報抽出＆表示位置パルス発生器７−6V-11に入力される。該発生器は、Ｃ．ＳＹＮＣ信号のタイミングに応じて、表示位置パルスであるｆ１'、ｆ２'パルスを映像有効期間に出力する。
【０１５３】
図２６（ｂ）に、映像タイミング上における重畳他情報Ｐｆ、ｆ２'、ｆ１'パルスの位置を示す。抽出パルスであるＰｆを有効映像期間外の１２Ｈ目、かつ、サンプル数６４２サンプルと６４５サンプルの場合に出力する。ｆ２’とｆ１’は、走査線に応じてＮＧとＡＬＡＲＭの文字上のみレベルＨとなる。
【０１５４】
図２７（ａ）に、図１９のＩＤ確認部７−７Ｖの実施の形態の構成を示し、以下に、説明する。Ｖｓの１２Ｈ目に重畳されたアナログ状態の各種情報信号はコンパレータ７−7V-1に入力され、ディジタル信号doID1,doID2に変換される。これらは他の信号と時系列的に並んだ信号である。これらは、Ｓ―Ｐ＆ラッチ７−7V-12によりd0ID1,dOID2のみ並列化＆サンプルホールドされ信号ID1,ID2信号に変換される。ID1信号はそのまま、またID2信号はＩＮＶ７−7V-13を経由してＡＮＤ７−7V-4へ接続される。そしてＯＫフラグとして出力される。
【０１５５】
Ｃ．ＳＹＮＣ信号は、図２６の重畳他情報抽出＆表示位置パルス発生器７−6V-11dに入力される。該発生器は、Ｃ．ＳＹＮＣ信号のタイミングに応じて、抽出パルスであるＰidを有効映像期間外の１２Ｈ目に出力する。図２７（ｂ）に、映像タイミング上におけるＰid パルスの位置を示す。また、抽出パルスであるＰid は有効映像期間外の１２Ｈ目、かつ、サンプル数６４９サンプルと６５３サンプルの場合に出力する。
【０１５６】
以上の説明において、抽出または表示位置パルス発生は、Ｃ．ＳＹＮＣ信号のタイミングに応じて、個々のブロックに発生器を持つ構成としたが、一括して発生し各部ブロックに分配する方法でも良い。
【０１５７】
以上のようにして、移動体伝送における伝送状態を表す電界強度、ＢＥＲ状態、反射波の混入状況(ゴースト状況)等の情報を、ＯＦＤＭ伝送装置から遠く離れた地点であるスタジオ等に伝送することができる。そして、スタジオ側では、受信した映像信号から、重畳された伝送状態を表す各情報を抽出して、これら抽出された伝送状態を表す各情報を、映像有効期間内に伝送状態映像化信号として映像表示することにより、ディレクタ等が観測して伝送状態を把握することができる。
【０１５８】
また、中継段までの伝送状態を中継段で予め検出し、伝送状態に異常があれば異常を示す異常検知信号を付加してスタジオ側の受信段に伝送するので、スタジオ側の受信段において、この異常検知信号をモニタで観測することができ、異常状態の余裕度判断を誤ることがない。
【０１５９】
さらに、中継段で、スタジオ側までの回線の伝送状態確認用ＩＤ信号を付加してスタジオ側の受信段に伝送するので、スタジオ側の受信段においては、確認用ＩＤ信号の状態に応じて、スタジオ側までの回線の伝送状態を含めた総合的な伝送状態の異常を認識することができるので、中継段からスタジオ側の受信段への伝送時の品質劣化を容易に認識することができる。
【０１６０】
【発明の効果】
本発明によれば、スタジオ側の受信段において、中継段での伝送状態を観測可能にしたディジタル伝送システムおよびそれに用いる中継装置ならびに受信装置を提供することができる。また、本発明によれば、中継段からスタジオ側の受信段への伝送時の品質劣化に対応可能なディジタル伝送システムおよびそれに用いる中継装置ならびに受信装置を提供することができる。
【図面の簡単な説明】
【図１】本発明のディジタル伝送システムの実施の形態の全体構成図である。
【図２】各部の出力映像信号と対応表示画面の模式図である。
【図３】図１の伝送状態映像重畳換部７Ｔｔおよび異常検出重畳部７Ｔｇの実施の形態の構成図である。
【図４】図３の映像統合部７−４’の構成の実施の形態の構成図である。
【図５】伝送状態重畳映像信号Ｖｓの模式図である。
【図６】図３の電界強度−映像変換部７−１の実施の形態の構成図と対応表示画面の模式図である。
【図７】図３のＢＥＲ状態−映像変換部７−２の実施の形態の構成図と対応表示画面の模式図である。
【図８】図３のゴースト状態−映像変換部７−３の構成図である。
【図９】図７の各部の信号タイミング説明図である。
【図１０】図３の異常検知部７−５の実施の形態の構成図である。
【図１１】図１０の異常ゴースト状態残留表示部７−５Ｂの実施の形態の構成図である。
【図１２】表示画面をＡ〜Ｈの８つの領域に分割した場合の構成図である。
【図１３】図１０の異常状態検知器７−５Ａの実施の形態の構成図である。
【図１４】図１３の異常条件検出器５Ａ−３の実施の形態の構成図である。
【図１５】図１４の異常条件検出器５Ａ−３−３の実施の形態の構成図である。
【図１６】信号タイムチャートを示す図である。
【図１７】図３の異常状態映像変換部７−６の実施の形態の構成図と対応表示画面の模式図である。
【図１８】図３のＩＤ信号発生部７−７の実施の形態の構成構成図と対応表示画面の模式図である。
【図１９】図１の重畳情報抽出＆映像変換部７Ｒｔおよび確認ゲート部７Ｒｇの実施の形態の構成図である。
【図２０】伝送状態映像化信号Vrpfと伝送状態情報信号Ｆrの表示画面の模式図である。
【図２１】図２０の重畳電界強度抽出＆映像変換部７−１Ｖの実施の形態の構成図と対応表示画面の模式図である。
【図２２】図１９の重畳ＢＥＲ状態抽出＆映像変換部７−２Ｖの実施の形態の構成図と対応表示画面の模式図である。
【図２３】図１９の重畳ゴースト状態抽出＆映像変換部７−３Ｖの実施の形態の構成図である。
【図２４】ＷＥの対応対応表示画面の模式図である。
【図２５】信号タイミングチャート図である。
【図２６】図１９の重畳情報抽出映像変換部７―６Ｖの実施の形態の構成図と対応表示画面の模式図である。
【図２７】図１９のＩＤ確認部７―７Ｖの実施の形態の構成図と対応表示画面の模式図である。
【図２８】代表的な中継形態を示す図である。
【図２９】従来の全体構成図である。
【図３０】図２９における送信側処理部１００と受信側処理部２００からなるＯＦＤＭ伝送装置の基本的な構成図である。
【図３１】図３０の同期検出＆相関部４Ａの構成図である。
【図３２】図３１の相関出力信号Ｓｃを示す図である。
【図３３】本発明の前提の全体構成図である。
【図３４】各部の出力映像信号とその映像表示画面の模式図である。
【図３５】図３３の伝送状態映像重畳部７Ｔの構成図である。
【図３６】図３５の映像統合部７−４の構成図である。
【図３７】伝送状態重畳映像信号Ｖｓの模式図である。
【図３８】図３３の重畳情報抽出＆映像変換部７Ｒの構成図と対応表示画面の模式図である。
【符号の説明】
１００：送信側処理部、１００Ｍ：ＭＰＥＧ−ＥＮＣ部、２００：受信側処理部、２００Ｍ：ＭＰＥＧ−ＤＥＣ部、７Ｔｔ：伝送状態映像重畳部、７Ｔｇ：異常検出重畳部、３００Ａ：映像送信部、４００Ａ：映像受信部、７Ｒｔ：重畳情報抽出＆映像変換部、７Ｒｇ：確認ゲート部、５００：モニタ、７−１：電界強度−映像変換部、７−２：ＢＥＲ状態−映像変換部、７−３：ゴースト状態−映像変換部、７−４’：映像統合部、７−５：異常検知部、７−６：異常状態映像変換部、７−７：ＩＤ信号発生部、７−１Ｖ：重畳情報抽出＆映像変換部、７−２Ｖ：重畳ＢＥＲ状態−映像変換部、７−３Ｖ：重畳ゴースト状態抽出＆映像変換部、７−４Ｖ’：映像統合部、７−６Ｖ：重畳他情報抽出＆映像変換部、７−７Ｖ：ＩＤ確認部、７−８Ｖ：ゲート、７−９Ｖ：ゲート。
【図１】
0004713749.tif 000002
【図２】
0004713749.tif 000003
【図３】
0004713749.tif 000004
【図４】
0004713749.tif 000005
【図５】
0004713749.tif 000006
【図６】
0004713749.tif 000007
【図７】
0004713749.tif 000008
【図８】
0004713749.tif 000009
【図９】
0004713749.tif 000010
【図１０】
0004713749.tif 000011
【図１１】
0004713749.tif 000012
【図１２】
0004713749.tif 000013
【図１３】
0004713749.tif 000014
【図１４】
0004713749.tif 000015
【図１５】
0004713749.tif 000016
【図１６】
0004713749.tif 000017
【図１７】
0004713749.tif 000018
【図１８】
0004713749.tif 000019
【図１９】
0004713749.tif 000020
【図２０】
0004713749.tif 000021
【図２１】
0004713749.tif 000022
【図２２】
0004713749.tif 000023
【図２３】
0004713749.tif 000024
【図２４】
0004713749.tif 000025
【図２５】
0004713749.tif 000026
【図２６】
0004713749.tif 000027
【図２７】
0004713749.tif 000028
【図２８】
0004713749.tif 000029
【図２９】
0004713749.tif 000030
【図３０】
0004713749.tif 000031
【図３１】
0004713749.tif 000032
【図３２】
0004713749.tif 000033
【図３３】
0004713749.tif 000034
【図３４】
0004713749.tif 000035
【図３５】
0004713749.tif 000036
【図３６】
0004713749.tif 000037
【図３７】
0004713749.tif 000038
【図３８】
0004713749.tif 000039